(57)【特許請求の範囲】
【請求項１】
伸縮性のある素材の帯体表面に１定の間隔毎に瓦配置目盛を形成した伸縮性定規の１端部を屋根の軒部分間口の１端部に固定し、葺設する瓦数分の瓦配置目盛を有する長さの伸縮性定規他端部を屋根の軒部分間口の他端部に固定し、各目盛部分の間に瓦を葺設することを特徴とする屋根の地割方法。
【請求項２】
合成樹脂板から成る複数の面戸板を、それぞれ１定の間隔をあけて直列に配置し、各面戸板間の間に伸縮材からなる伸縮部を１体に形成した伸縮性面戸の１端部を屋根の軒部分間口の１端部に固定し、葺設する瓦数分の面戸板を有する長さの伸縮性面戸他端部を屋根の軒部分間口の他端部に固定し、各面戸板部分に瓦を葺設することを特徴とする屋根の地割方法。
【請求項３】
伸縮性のある素材の帯体表面に、１定の間隔毎に瓦配置目盛を形成し、１定長さの帯体を１定の率で伸ばしたとき、瓦配置目盛の１定間隔も同じ率で均等に伸びるように構成されたことを特徴とする伸縮性定規。
【発明の詳細な説明】
【０００１】
【発明の属する技術分野】
この発明は、屋根の地割方法、定規並びに面戸に係り、特に屋根瓦を葺く時に屋根に瓦を配置するための位置決めを容易にすることのできる屋根の地割方法、定規並びに面戸に関する。
【０００２】
【従来の技術】
従来、屋根瓦を葺く時には屋根の上で瓦を配置するための位置決めをすることを「地割」といっている。すなわち、屋根の間口は普通は１定の定規で計測されて構成されているが、屋根瓦は隣の瓦との重なりがあることと、使用される屋根瓦の寸法に違差がある。従って屋根の軒先間口に対して、瓦を何枚配置するか、その場合、隣の瓦との重なり寸法をどのくらいにするか、を計算して、１枚の瓦の中心位置を何処に配置させていくか、を定規で屋根の上に印をつけてからその印の位置に正確に瓦を配置していく。
【０００３】
【発明が解決しようとする課題】
前記従来の地割方法では、いちいち計算して、瓦１枚毎の位置を定規で屋根の上に印をつけなければならず、多大な労力を要した。また、せっかく印をつけても、印が薄かったために見えなかったり、気象の関係で見えにくかったりする難点があった。この発明は、それらの実情に鑑み、定規で屋根の上に印をつけることをせずにいつでも容易に地割をすることのできる屋根の地割方法、定規並びに面戸を提供することを目的として開発されたものである。
【０００４】
【課題を解決するための手段】
この発明は上記課題を解決し目的を達成するために次のような手段を講じた。すなわち、
【０００５】
伸縮性のある素材の帯体表面に１定の間隔毎に瓦配置目盛を形成した伸縮性定規の１端部を屋根の軒部分間口の１端部に固定し、葺設する瓦数分の瓦配置目盛を有する伸縮性定規他端部を屋根の軒部分間口の他端部に固定し、各目盛部分の間に瓦を葺設する屋根の地割方法。
【０００６】
合成樹脂板から成る複数の面戸板を、それぞれ１定の間隔をあけて直列に配置し、各面戸板間に伸縮材からなる伸縮部を１体に形成した伸縮性面戸の１端部を屋根の軒部分間口の１端部に固定し、葺設する瓦数分の面戸板を有する長さの伸縮性面戸他端部を屋根の軒部分間口の他端部に固定し、各面戸板部分に瓦を葺設する屋根の地割方法。
【０００７】
伸縮性のある素材の帯体表面に、１定の間隔毎に瓦配置目盛を形成し、１定長さの帯体を１定の率で伸ばしたとき、瓦配置目盛の１定間隔も同じ率で均等に伸びるように構成された伸縮性定規。
【０００８】
【作用】
上記のように構成されたこの発明は、次のような作用を有している。すなわち、例えば軒先の間口が４間（７．２７２メートル）で１間に８枚の瓦を配置する場合、３２枚配置することになる。瓦の幅が３０センチなら３２枚を並べると９．６０メートルになるから、軒先の間口との差は２．３２８メートルになる。これを３２枚から１枚を引いた３１で割ると瓦１枚当り７．２１７センチの重なりを必要とする。言い替えれば、２２．７８センチ置きの地割りをしなければ、瓦を正確に配置できない。しかし、これは基準であって、瓦の大きさその他の事情で５ミリないし１０ミリ前後の差が生じるので、その差を加算した状態での地割が必要になる。そこで、前記伸縮性定規における瓦配置目盛の間隔を例えば２２．５センチに設定しておき、この伸縮性定規の両端を引張ると伸縮性定規は伸びるので、瓦配置目盛の間隔は２２．８センチにも２４センチにも変化させることができる。従って、伸縮性定規の１端部を屋根の軒部分間口の１端部に固定し、葺設する瓦数分の瓦配置目盛を有する長さの伸縮性定規他端部を引張って屋根の軒部分間口の他端部に固定すると、どのような端数がでる状態であっても、各瓦配置目盛の間隔は平均して伸びているので均等長さになっており、各瓦配置目盛の部分に棧瓦を配置すれば、均等な重なり幅で棧瓦を葺設することができる。
【０００９】
また、前記合成樹脂板から成る複数の面戸板を、それぞれ１定の間隔をあけて直列に配置し、各面戸板間に伸縮材からなる伸縮部を１体に形成した伸縮性面戸の場合、これを軒先部分に通常の面戸のように設定する。これを前記伸縮性定規と同じ要領で１端部を固定して他端部を引張って軒部分の他端部に固定すると、各面戸板間の伸縮部が平均的に伸びるので、各面戸板は等間隔に位置することになる。従って各面戸板の上に棧瓦を配置すれば、均等な重なり幅で棧瓦を葺設することができると同時に面戸を施工することができる。
【００１０】
【発明の実施の形態】
この発明の実施の形態例を図面に基づいて説明する。図１は伸縮性定規の斜視図である。伸縮性定規１の帯体２は伸縮性素材で形成されたテープ状のもので、幅は例えば１センチに設定されている。伸縮性素材の材質は、例えば軟質ビニールテープ、発泡性合成樹脂テープ、ゴム質テープ、伸縮布など、伸縮性のある素材なら何でも構わない。該帯体２の１面に１定間隔置きに瓦配置目盛３…が形成されている。該瓦配置目盛３…の形成手段は印刷、溝条、貫通孔、切欠き等任意である。印刷においては、暗い場所でもよくわかる光輝性或いは反射性素材のものを使用することができる。該帯体２の他面には接着剤層４が形成され、符号５は離形紙である。
【００１１】
以上の構成からなるこの伸縮性定規１の使用方法は、図２に示すように、屋根の軒先上端縁部の間口（ＡＢ間）に３２枚の瓦を配置使用とする場合、伸縮性定規１の長さは瓦配置目盛３…の３２番目の所で切断する。離形紙４を剥がして軒先上端縁部間口の１端部Ａに、伸縮性定規１の１端部を接着剤層４を介して固定させ、伸縮性定規１の他端部を軒先上端縁部間口の他端部Ｂまで引張って接着剤層４を介して固定させ、伸縮性定規１の中間も屋根板に固定させる。これによって、伸縮性定規１の長さが屋根の間口（ＡＢ間）より多少短かくても伸縮性定規１は屋根の間口（ＡＢ間）一杯に伸びているため、伸縮性定規１の各瓦配置目盛３…の間隔は均等に伸びているから、屋根の地割が簡単に設定される。すなわち屋根の軒先上端縁部の間口（ＡＢ間）を伸縮性定規１の瓦配置目盛３によって３２に均等に地割出来たものである。これによって、瓦を瓦配置目盛３に合わせて配置していけば、瓦の大きさと屋根の間口に違差があっても瓦を均等な間隔で葺設することができる。この場合、図２において、ＣＤ間は普通の間隔で葺設し、ＡＣとＤＢ間は普通より狭い間隔で葺設するようなこと（その逆も）も、この伸縮性定規１を使用すれば容易に施工することができる。
【００１２】
図３は伸縮性面戸６（軟質）の正面図である。伸縮性面戸６は、伸縮性素材で形成された帯体７に、１定の大きさの面戸板８…を瓦配置目盛３を境に区画形成して、かつ複数の面戸板８…を直列に連結形成されている。帯体７の素材は例えば発泡性合成樹脂で、肉厚は材質にもよるが、１ないし２センチ、高さ４．５ミリないし７センチ前後のものである。この伸縮性面戸６（軟質）の使用方法は、図１は伸縮性定規１と概略同じで、屋根の軒先上端縁部の間口（ＡＢ間）に配置する棧瓦の数の面戸板８…を有する長さに切断して、その両端部を軒先上端縁部の間口（ＡＢ間）に合わせて引張った状態で、図２における軒の面戸を設定する位置に設定する。しかる後、各面戸板８…の上に瓦を配置していけば、前記図１の伸縮性定規１と同様に容易に地割ができて、瓦を均等間隔で葺設することができると共に、地割と面戸の施行が同時に出来るものである。
【００１３】
図４は伸縮性面戸９（硬質）の平面図である。伸縮性面戸９は、硬質素材例えば硬質塩化ビニール等で形成された帯体１０に複数の面戸板１１…が伸縮部１２…を介して一体に連設されている。該伸縮部１２…は図示のように蛇腹状に形成されており、伸縮性面戸９の長手方向に引張ると伸縮する。この伸縮性面戸９（硬質）の使用方法は図３に示したものと概略同じで、伸縮性面戸９の長手方向に複数の伸縮部１２…が存在するので、伸縮性面戸９の長手両端部を引張ると各面戸板１１…の位置は均等間隔に配置される。
【００１４】
伸縮性面戸９（硬質）の構造は目的に合わせて任意に設計変更をすることができる。その１例を図５R>５以下に示す。前例と同じ部材には同じ符号を付して説明を省略する。図５は硬質素材で形成された帯体１０の１面に伸縮性素材の伸縮層１０Ａが形成され、帯体１０に複数の硬質な面戸板１１…が伸縮部１２…を介して一体に連設されている。該伸縮部１２は一定の間隔に細い切溝１１Ａ…が形成されているもので、使用時に折ると、各面戸板１１…が独立するため、伸縮性面戸９を長手方向に引張ると伸縮部１２…の部分が伸縮する。従って、図４の伸縮性面戸９と同様に使用することができる。これは２色成形機で同時に硬軟部分を成形することができる。
【００１５】
図６は、帯体１０に複数の硬質面戸板１１…が伸縮部１２…を介して一体に連設されている。該伸縮部１２は、伸縮性素材によって一体に成形されている。この使用方法も前記と概略同じである。
【００１６】
図７は、帯体１０に複数の硬質面戸板１１…が伸縮部１２…を介して一体に連設されている。該伸縮部１２は、伸縮性素材によって硬質面戸板１１…の側部に一体に成形されている。この使用方法も前記と概略同じである。なおこの発明は前記事例に限定されるものではなく、目的に合う構成に適宜設計変更することができる。
【００１７】
【発明の効果】
以上説明したように、この発明は次のようなすぐれた効果を有している。
【００１８】
Ａ． 屋根の地割方法は、伸縮性定規を伸ばして地割り位置を特定するものであるため、面倒な計算や定規による印着けをする必要がなく、誰にでも容易に短時間で地割をすることができる効果がある。
【００１９】
Ｂ． 伸縮性定規は、配設する瓦数分の瓦配置目盛を有する長さにするだけで、伸縮性定規の両端部を軒の左右両端部に固定すれば、面倒な計算や定規による印着けをする必要がなく、誰にでも容易に短時間で地割をすることができる効果がある。
【００２０】
Ｃ． 伸縮性面戸は、配設する瓦数分の面戸板を有する長さにするだけで、伸縮性面戸の両端部を軒の左右両端部に固定すれば、面倒な計算や定規による印着けをする必要がなく、誰にでも容易に短時間で地割をすることができ、同時に面戸を施行することができる効果がある。
【図面の簡単な説明】
【図１】伸縮性定規の斜視図である。
【図２】屋根の地割方法を示す屋根の正面図である。
【図３】伸縮性面戸（軟質）の正面図である。
【図４】伸縮性面戸（硬質）の平面図である。
【図５】伸縮性面戸（硬質）の第２例を示す平面図である。
【図６】伸縮性面戸（硬質）の第３例を示す平面図である。
【図７】伸縮性面戸（硬質）の第４例を示す平面図である。
【符号の説明】
１ 伸縮性定規
２ 帯体
３ 瓦配置目盛
４ 接着剤層
５ 離形紙
６ 伸縮性面戸
７ 帯体
８ 面戸板（軟質）
９ 伸縮性面戸
１０ 帯体
１０Ａ 伸縮層
１１ 面戸板（硬質）
１１Ａ 切溝
１２ 伸縮部
Ａ，Ｂ 屋根の間口
【図１】
0003750090.tif 000002
【図２】
0003750090.tif 000003
【図３】
0003750090.tif 000004
【図４】
0003750090.tif 000005
【図５】
0003750090.tif 000006
【図６】
0003750090.tif 000007
【図７】
0003750090.tif 000008